(57)【要約】    【課題】  雌螺子が形成されている先金の外周部であるキャップとの嵌合部に、螺子部を形成の際に凹み（引け）が発生し易く、その結果、嵌合不良を起こしてしまい、ややもすると、小さな衝撃でもキャップと軸筒との嵌合が解除され、軸筒からキャップが外れてしてしまう危険性があった。特に、水性インキを使用したサインペンなどにあっては、キャップと軸筒との密閉作用が不完全なものとなってしまい、筆記不能などの原因にもなっていた。    【解決手段】  筆記部を具備するホルダを軸筒の先端に螺着によって取り付け、その螺着部の外周部にキャップと軸筒の嵌合部が設けられた塗布具であって、前記ホルダを連結具を介して軸筒に取り付けると共に、前記連結具を軸筒に圧入する一方、ホルダと連結具を螺着せしめ、又、その螺着部の外周部をキャップの嵌合部とした塗布具。【選択図】  図１
2005212288.tif 000002
【特許請求の範囲】
【請求項１】
筆記部を具備するホルダを軸筒の先端に螺着によって取り付け、その螺着部の外周部にキャップと軸筒の嵌合部が設けられた塗布具であって、前記ホルダを連結具を介して軸筒に取り付けると共に、前記連結具を軸筒に圧入する一方、ホルダと連結具を螺着せしめ、又、その螺着部の外周部をキャップの嵌合部としたことを特徴とする塗布具。
【請求項２】
前記連結具と軸筒との取付部に回転防止手段を具備させたことを特徴とする請求項１記載の塗布具。
【請求項３】
前記回転防止手段は、連結具と軸筒の少なくとも１方に形成した弾性突部であることを特徴とする請求項１、或いは、請求項２に記載の塗布具。
【発明の詳細な説明】
【技術分野】
【０００１】
本発明は、筆記部を具備するホルダを軸筒の先端に螺着によって取り付け、その螺着部の外周部にキャップと軸筒の嵌合部が設けられた塗布具に関する。
【背景技術】
【０００２】
１例として、軸筒の先端に先金が螺着によって固定され、その螺着部の外周にキャップと軸筒のシール部が位置された筆記具を挙げ説明する。軸筒１の先端１ａの外周面には雄螺子部が形成されており、その雄螺子部３には先金１２の内面に形成された雌螺子１３が螺合している。つまり、軸筒１と先金３は、螺合によって連結されているのである。そして、前記雌螺子１３が形成されている先金１２の外周部には、キャップ１５のシール部１５ａが位置している。このシール部１５ａは、キャップ１５内を密閉する為の嵌合部となっている。
【０００３】
【特許文献１】実開平６−６４９６１号公報
【発明の開示】
【発明が解決しようとする課題】
【０００４】
しかし、上記のような従来技術にあっては、雌螺子が形成されている先金の外周部であるキャップとの嵌合部に、螺子部を形成の際に凹み（引け）が発生し易く、その結果、嵌合不良を起こしてしまい、ややもすると、小さな衝撃でもキャップと軸筒との嵌合が解除され、軸筒からキャップが外れてしてしまう危険性があった。特に、水性インキを使用したサインペンなどにあっては、キャップと軸筒との密閉作用が不完全なものとなってしまい、筆記不能などの原因にもなっていた。又、この様な現象は、螺子が形成される軸筒やホルダーを射出成形などの手段によって成形した樹脂製の部品において顕著となる。
【課題を解決するための手段】
【０００５】
本発明は、筆記部を具備するホルダを軸筒の先端に螺着によって取り付け、その螺着部の外周部にキャップと軸筒の嵌合部が設けられた塗布具であって、前記ホルダを連結具を介して軸筒に取り付けると共に、前記連結具を軸筒に圧入する一方、ホルダと連結具を螺着せしめ、又、その螺着部の外周部をキャップの嵌合部としたことを要旨とする。
【発明の効果】
【０００６】
本発明は、筆記部を具備するホルダを軸筒の先端に螺着によって取り付け、その螺着部の外周部にキャップと軸筒の嵌合部が設けられた塗布具であって、前記ホルダをアダプタを介して軸筒に取り付けると共に、前記連結具を軸筒に圧入する一方、ホルダと連結具を螺着せしめ、又、その螺着部の外周部をキャップの嵌合部としたので、嵌合部に凹み（引け）などが発生することなく、良好な嵌合作用を得ることができる。
【発明を実施するための最良の形態】
【０００７】
作用について説明する。螺着部の外周部に仮に凹みが発生したとしても、ホルダの外周部に形成される為、キャップと軸筒の嵌合部には影響しない。
【０００８】
１例として、水性キンキを使用したサインペンを挙げ説明する。軸筒１は、前軸２と後軸３とから構成されており、それらは螺合によって着脱自在に連結されている。その後軸３の内部には、水性キンキが収納された樹脂製のカートリッジ４が内設されており、その開口部５がアダプタ６に着脱自在に圧入している。そのアダプタ６は、前記前軸２の後部に液密状態で圧入固定されており、又、そのアダプタ６の前方には一時的インキ溜め部材７が装着されている。この一時的インキ溜め部材７は、多数の板状突部８から構成されており、気温などの上昇や衝撃による前記カートリッジ４内部における空気の膨張に起因するインキの過剰な吐出を防止している。符号９は、前記一時的インキ溜め部材７とアダプタ６を貫通した状態で配置された繊維集束物や硬質ウレタンなどの多孔質体からなる中継芯であって、後述する筆記部へインキを供給する為の部材である。
【０００９】
前記前軸２の前部には、射出成形などの手段によって成形された合成樹脂製の連結具１０を介して筆記部ホルダ１１が着脱自在に取り付けられている。そのホルダー１１も本例においては合成樹脂成形品となっているが、金属材質から切削などの手段によって形成しても良い。尚、前記連結具１０には前端鍔部１０ｂが形成されており、その前端鍔部１０ｂの後端面には頂部が尖ったほぼ三角形状の突起１０ｄが形成されている。
又、前記ホルダ１１には繊維集束物や硬質ウレタンなどの多孔質体からなる筆記部１２が挿着されており、その後端部１２ａが前記中継芯９の前端部９ａに接触、好ましくは、圧接している。この圧接作用によって、筆記部１２と中継芯９が確実に連結され、その中継芯９からインキが筆記部１２へと導かれるのである。
ここで、前記筆記部ホルダ１１の後部外周面には、雄ネジ１１ａが形成されており、連結具１０の内面に形成された雌ネジ１０ａに螺合している。即ち、ホルダ１１と連結具は、この螺合構造によって着脱自在に固定されているのである。此によって、摩耗、或いは破損などした筆記部１２を交換することができる。又、螺合によって固定されている為、前記筆記部１２や中継芯９の長さに多少の寸法バラツキが生じても、螺合量を変えることによって前記バラツキを解消することができる。
更に、前記前軸２の前端部の内側縁部には、弾性変形可能な突起１３が形成されている。その突起１３は頂部が尖ったほぼ三角形状をなしており、前記連結具１０の前端鍔部１０ｂに形成された突起１０ｄに係合し得るようになっている。又、連結具１０と前軸２の挿着過程で、各々の頂部が変形し、潰れるようになっている。即ち、突起１３と突起１０ｄの係合、並びに、突起１３の頂部が前端鍔部１０ｂの後端面に食い込むことによって、又、突起１０ｄの頂部が前軸２の前端部に食い込むことによって、前軸２と連結具１０との相対的な回転が確実に阻止されるのである。尚、連結具１０と前軸２は、比較的軽い力で圧入固定されており、その圧入作用によっても連結具１０と前軸２の相対的な回転が防止されている。尚、前記各々の頂部による食い込み作用が、仮に発生しなくても突起１３と突起１０ｄの係合、並びに、前記の圧入作用によって、連結具１０と前軸２の相対的な回転が防止されている。
更に、その連結具１０の後端近傍の外周面には、前方に向かい拡径する係止突起１０ｃが形成されており、前軸２の内面に形成された係止段部２ａに係合している。連結具１０を前軸２に挿着しやすくしていると共に、挿着後における連結具１０の前軸２に対する脱落を防止しているのである。
【００１０】
符号１４は、筆記部１２を覆うキャップであるが、そのキャップ１４の内側には内キャップ１５が挿着されており、その内キャップ１４が実質的に前記筆記部１２を多い、密封している。具体的に説明すると、前記前軸２の前方外周であって、連結部１０の雌ネジ１０ａが形成されている外方位置には、円周上の突起１６が形成されており、その突起１６に前記内キャップ１５の内周面に形成された円周上の凹部１７が液密状態で嵌合している。即ち、この嵌合部によって内キャップ１５内が密封状態となり、筆記部１２やインキの乾燥が防止される。
符号１８は、金属材質からなるクリップであって、前記キャップ１４と尾栓１９によって挟持固定されている。
【００１１】
次ぎに、使用例について説明する。長期の使用により筆記部１２が摩耗したり、落下などによって筆記部１２を破損させてしまった場合には、ホルダ１１の外周部を指などで摘み、前軸２に対して回転させる。この回転動作によって、ホルダ１１と連結具１０の螺合が解除され、ホルダ１１が連結具１０から外れる。この時、連結具１０が前軸２に対して回転しようとするが、連結具１０の鍔部１０ｂが前軸２の突起１３に食い付いている為、又、突起同士の係合によって連結具１０が回転してしまうようなことがない。次いで、新たな筆記部１２を有したホルダ１１を連結具１０に螺合させるが、この時も、前述の通り連結具１０が前軸２に対して回転してしまうようなことがない。よって、新たな筆記部１２を前軸２に簡単に取り付けることができる。尚、新たな筆記部１２を前軸２に取り付ける過程で、その筆記部１２の後端１２ａが中研心９の前端部９ａに密着、埋没し、インキの流通がなされるようになる。
【図面の簡単な説明】
【００１２】
【図１】１例を示す縦断面図。
【図２】図１の要部拡大図。
【図３】組み立て前の前軸前端近傍を示す要部縦断面図。
【図４】図３の上面図。
【図５】組み立て前の連結部材前端近傍を示す要部外観図。
【図６】図４の底面図。
【符号の説明】
【００１３】
１      軸筒
２      前軸
３      後軸
４      カートリッジ
５      開口部
６      アダプタ
７      一時的インキ溜め部材
８      板状突起
９      中継芯
１０      連結具
１１      ホルダ
１２      筆記部
１３      突起
１４      キャップ
１５      内キャップ
１６      突起
１７      溝
１８      クリップ
１９      尾栓
【図１】
2005212288.tif 000003
【図２】
2005212288.tif 000004
【図３】
2005212288.tif 000005
【図４】
2005212288.tif 000006
【図５】
2005212288.tif 000007
【図６】
2005212288.tif 000008